(57)【要約】【課題】２つのカバー部材の一方に係止孔を、他方に折り曲げ係止片を形成し、梱包時にその折り曲げ係止片を折り曲げて先端を係止孔に挿入してその孔縁に掛け止め、２つのカバー部材を連結する梱包箱において、開梱時の破損をなくして再使用を可能とする。【解決手段】四角い箱形状とし、２つのカバー部材であるキャップ部材１０とベース部材２０とで構成する。キャップ部材は、底部を開放し、対向側面１１Ａ・１１Ｂの複数の対向個所に係止孔１２を設ける。ベース部材２０は、キャップ部材の底部を塞ぎ、係止孔と対応する位置に折り曲げ係止片２３を設ける。そして、梱包時にその折り曲げ係止片を折り曲げて先端を係止孔に挿入し、その孔縁に掛け止めてキャップ部材とベース部材を連結する。折り曲げ係止片には係止孔への挿入方向のスリット２４を設け、折り曲げ係止片を分割する。【選択図】        図４
2005001731.tif 000002
【特許請求の範囲】
【請求項１】
２つのカバー部材の一方に係止孔を、他方に折り曲げ係止片を形成し、梱包時にその折り曲げ係止片を折り曲げて先端を前記係止孔に挿入してその孔縁に掛け止め、前記２つのカバー部材を連結する梱包箱において、
前記折り曲げ係止片に、前記係止孔への挿入方向のスリットを設け、前記折り曲げ係止片を分割することを特徴とする、梱包箱。
【請求項２】
前記２つのカバー部材を、底面を開放するキャップ部材と、そのキャップ部材に、周囲に設けるフラップを介して連結して前記キャップ部材の底面を塞ぐベース部材とで構成し、前記キャップ部材に前記係止孔を、前記ベース部材のフラップに前記折り曲げ係止片を形成することを特徴とする、請求項１に記載の梱包箱。
【請求項３】
前記スリットに対して出し入れ自在に前記フラップに規制片を設けることを特徴とする、請求項２に記載の梱包箱。
【請求項４】
前記規制片につまみ部を設けることを特徴とする、請求項３に記載の梱包箱。
【請求項５】
前記キャップ部材に、内部に指を入れて、前記係止孔の孔縁に掛け止める前記折り曲げ係止片の先端に触れることができる開口を設けることを特徴とする、請求項２ないし４のいずれか１に記載の梱包箱。
【請求項６】
四角い箱形状とし、対向側面の複数対向個所でそれぞれ前記ベース部材の前記折り曲げ係止片を前記キャップ部材に掛け止めることを特徴とする、請求項２ないし５のいずれか１に記載の梱包箱。
【発明の詳細な説明】
【０００１】
【発明の属する技術分野】
この発明は、例えば、複写機・プリンタ・ファクシミリ等の画像形成装置、その画像形成装置に取り付ける原稿自動読取装置（ＡＤＦ装置）・ステイプラ装置・孔あけ装置・シート折り装置等の周辺機などの製品を輸送するときに、それらの製品を包装して梱包するのに使用する、段ボール製等の梱包箱に関する。
【０００２】
【従来の技術】
従来、この種の梱包箱の中には、底面を開放するカバー部材であるキャップ部材と、そのキャップ部材に、周囲に設けるフラップを介して連結してキャップ部材の底面を塞ぐ別のカバー部材であるベース部材とで構成するものがある。
【０００３】
【特許文献１】実用新案登録第２５７９０８０号公報
例えば特許文献１に記載される梱包箱では、ベース部材上に製品を載置してキャップ部材を被せ、キャップ部材とシート部材周囲のフラップとを、別部材である樹脂製等のジョイント部材を用いて連結して包装していた。
【０００４】
しかし、このような梱包箱では、ジョイント部材を別途必要とすることから、部品点数が増加するとともに、その分、部品の保管管理が面倒となる問題があった。また、別部材がカバー部材と異なる材質であるときは、分別廃棄しなければならず、面倒であった。
【０００５】
【特許文献２】特開平１１−１７１１６２号公報
従来の梱包箱の中には、例えば特許文献２に記載されるように、ベース部材のフラップに、頭部と首部とよりなる矢印形状の折り曲げ係止片を設け、その折り曲げ係止片の頭部をキャップ部材の係止孔に差し込んで孔縁に掛け止め、キャップ部材とベース部材とを、別部材を用いずに連結して包装するものもあった。
【０００６】
【発明が解決しようとする課題】
ところが、特許文献２に記載されるような梱包箱では、梱包を解くとき、キャップ部材の係止孔から折り曲げ係止片の頭部を強引に引き抜かなければならず、無理に引き抜くことにより折り曲げ係止片を破損し、仮に再使用するようなときには、折り曲げ係止片の掛け止めが不十分となったり、最悪の場合には再使用不可能となったりする問題があった。
【０００７】
そこで、この発明の第１の目的は、２つのカバー部材の一方に係止孔を、他方に折り曲げ係止片を形成し、梱包時にその折り曲げ係止片を折り曲げて先端を係止孔に挿入してその孔縁に掛け止め、２つのカバー部材を連結する梱包箱において、開梱時の破損をなくして再使用を可能とすることにある。
【０００８】
この発明の第２の目的は、そのような梱包箱において、２つのカバー部材であるキャップ部材とベース部材の連結を確実にすることにある。
【０００９】
この発明の第３の目的は、上述したような梱包箱において、開梱時の作業性を向上することにある。
【００１０】
この発明の第４の目的は、四角い箱形状の上述した梱包箱において、キャップ部材とベース部材とをバランスを取って確実に連結して包装の信頼性を向上することにある。
【００１１】
【課題を解決するための手段】
そのため、請求項１に記載の発明は、上記第１の目的を達成すべく、２つのカバー部材の一方に係止孔を、他方に折り曲げ係止片を形成し、梱包時にその折り曲げ係止片を折り曲げて先端を係止孔に挿入してその孔縁に掛け止め、２つのカバー部材を連結する梱包箱において、
折り曲げ係止片に、係止孔への挿入方向のスリットを設け、折り曲げ係止片を分割する、ことを特徴とする。
【００１２】
請求項２に記載の発明は、同じく上記第１の目的を達成すべく、請求項１に記載の梱包箱において、２つのカバー部材を、底面を開放するキャップ部材と、そのキャップ部材に、周囲に設けるフラップを介して連結してキャップ部材の底面を塞ぐベース部材とで構成し、キャップ部材に係止孔を、ベース部材のフラップに折り曲げ係止片を形成する、ことを特徴とする。
【００１３】
請求項３に記載の発明は、上記第２の目的も達成すべく、請求項２に記載の梱包箱において、スリットに対して出し入れ自在にフラップに規制片を設ける、ことを特徴とする。
【００１４】
請求項４に記載の発明は、上記第３の目的も達成すべく、請求項３に記載の梱包箱において、規制片につまみ部を設ける、ことを特徴とする。
【００１５】
請求項５に記載の発明は、同じく上記第３の目的も達成すべく、請求項２ないし４のいずれか１に記載の梱包箱において、キャップ部材に、内部に指を入れて、係止孔の孔縁に掛け止める折り曲げ係止片の先端に触れることができる開口を設ける、ことを特徴とする。
【００１６】
請求項６に記載の発明は、上記第４の目的も達成すべく、請求項２ないし５のいずれか１に記載の梱包箱において、四角い箱形状とし、対向側面の複数対向個所でそれぞれベース部材の折り曲げ係止片をキャップ部材に掛け止める、ことを特徴とする。
【００１７】
【発明の実施の形態】
以下、図面を参照しつつ、この発明の実施の形態につき詳細に説明する。
図１には、２つのカバー部材で構成するこの発明による梱包箱の外観を示す。
【００１８】
図示梱包箱は、直方体型の四角い箱形状で、底面を開放する第１のカバー部材であるキャップ部材１０と、そのキャップ部材１０に、周囲に設けるフラップ２１Ａ・２１Ｂ・２２Ａ・２２Ｂを介して連結してキャップ部材１０の底面を塞ぐ第２のカバー部材であるベース部材２０とで構成する。キャップ部材１０およびベース部材２０は、図示例ではともに段ボールでつくる。
【００１９】
キャップ部材１０は、長辺側の対向側面１１Ａ・１１Ｂの、間隔を隔てた２つの対向個所にそれぞれ係止孔１２を形成する。個々の係止孔１２は、図２に示すように、横方向に細長な矩形状とし、水平に設けて、少し間隔をあけた両側にそれぞれ図示例では楕円形状の開口１３を設ける。開口１３は、１または数本の指が奥まで入る大きさとする。
【００２０】
一方、ベース部材２０は、図１に示すように、長方形のシート状で、四辺にフラップ２１Ａ・２１Ｂ・２２Ａ・２２Ｂを有する。そのうち、長辺側のフラップ２１Ａ・２１Ｂには、間隔を隔てた２つの対向個所にそれぞれ先端から突出して折り曲げ係止片２３を形成する。
【００２１】
個々の折り曲げ係止片２３は、図３に示すように、矢印形状をなし、台形状の頭部２３ａと首部２３ｂとで構成し、第１の折り曲げ線Ｌ１で各フラップ２１Ａ・２１Ｂに対して折り曲げ自在とする。そして、その折り曲げ係止片２３には、中央に矢印の向き（後述するが、対応する係止孔１２への挿入方向）の幅ｂのスリット２４を設け、各折り曲げ係止片２３を二分する。
【００２２】
スリット２４位置には、フラップ２１Ａ・２１Ｂに対して第２の折り曲げ線Ｌ２で折り曲げてスリット２４に対して出し入れ自在に幅ｂの規制片２５を設ける。規制片２５は、途中に第３の折り曲げ線Ｌ３を設けてつまみ部２６を残して先端を内向きに折り曲げ可能とする。第３の折り曲げ線Ｌ３は、第１の折り曲げ線Ｌ１と同一直線上に位置している。
【００２３】
個々の折り曲げ係止片２３の少し間隔をあけた両側には、それぞれ図示例では半円状の切欠き２７を設ける。
【００２４】
そして、製品を梱包するときは、ベース部材２０上に製品を載せ、四辺のフラップ２１Ａ・２１Ｂ・２２Ａ・２２Ｂを上向きに折り曲げてキャップ部材１０を被せ、短辺側のフラップ２２Ａ・２２Ｂをキャップ部材１０内に入れ、長辺側のフラップ２１Ａ・２１Ｂをキャップ部材１０の外側に出す。
【００２５】
このとき、キャップ部材１０の各係止片１２には、ベース部材２０の各折り曲げ係止片２３が対応する位置となり、キャップ部材１０の各開口１３には、ベース部材２０の各切欠き２７が対応する位置となってそれらの切欠き２７および開口１３を通して外部から梱包箱内に指を挿入可能とする。
【００２６】
そして、図４に示すように、第２の折り曲げ線Ｌ２で折り曲げて規制片２５をスリット２４から出し、第１の折り曲げ線Ｌ１で各折り曲げ係止片２３を内向きに折り曲げるとともに、第３の折り曲げ線Ｌ３で規制片２５の先端を内向きに折り曲げる。
【００２７】
それから、各折り曲げ係止片２３の先端両側を内側（スリット２４側）に逃がしながら、矢印Ａで示すように先端を、対応する係止孔１２に挿入して首部２３ｂを係止孔１２に位置し、図５に示すように頭部２３ａを孔縁に掛け止める。その後、図４中矢印Ｂで示すように第２の折り曲げ線Ｌ２で折り曲げてスリット２４内に規制片２５を入れ、図５および図６に示すようにつまみ部２６を側面１１Ａ・１１Ｂに突き当て、折り曲げ係止片２３の先端両側が内側（スリット２４側）に逃げることを規制し、キャップ部材１０とベース部材２０の連結を確実にする。
【００２８】
これにより、図１に示すように、対向側面１１Ａ・１１Ｂの２つの対向個所でそれぞれベース部材２０の折り曲げ係止片２３をキャップ部材１０に掛け止めし、キャップ部材１０とベース部材２０とをバランスを取って確実に連結する。
【００２９】
開梱時は、まず図６中矢印Ｃで示すようにつまみ部２６を持って第２の折り曲げ線Ｌ２で折り曲げ、規制片２５をスリット２４から引き出す。次いで、図７中矢印Ｄで示すように両側の切欠き２７および開口１３から梱包箱の内部に指を入れて折り曲げ係止片２３の先端を押し、矢印Ｅで示すように折り曲げ係止片２３の先端両側を内側（スリット２４側）にたわませて逃がし、キャップ部材１０に対する各折り曲げ係止片２３の掛け止めを外す。
【００３０】
このように、包装箱の内部に指を入れて折り曲げ係止片２３の先端に触れることができるようにキャップ部材１０に開口１３を、ベース部材２０に切欠き２７を設けると、キャップ部材１０に対する各折り曲げ係止片２３の掛け止め解除を容易とし、特に開梱時の作業性を向上することができる。
【００３１】
【発明の効果】
以上説明したとおり、この発明によれば、梱包時に一方のカバー部材に設ける折り曲げ係止片を折り曲げて先端を他方のカバー部材に設ける係止孔に挿入してその孔縁に掛け止め、２つのカバー部材を連結するので、樹脂製のジョイント部材などの別部材を用いることなく、２つのカバー部材を直接連結することができる。
【００３２】
また、折り曲げ係止片に、係止孔への挿入方向のスリットを設け、折り曲げ係止片を分割するので、折り曲げ係止片の先端両側を内側（スリット側）にたわませて逃がし、開梱時は、折り曲げ係止片を破損することなく係止孔から引き出し、再使用を可能とすることができる。
【００３３】
請求項２に記載の発明によれば、２つのカバー部材を、底面を開放するキャップ部材と、そのキャップ部材に、周囲に設けるフラップを介して連結してキャップ部材の底面を塞ぐベース部材とで構成するので、別部材を用いることなく、キャップ部材とベース部材とを直接連結することができる。また、キャップ部材に係止孔を、ベース部材のフラップに折り曲げ係止片を形成するので、開梱時は、ベース部材の折り曲げ係止片を破損することなく係止孔から引き出し、再使用を可能とすることができる。
【００３４】
請求項３に記載の発明によれば、スリットに対して出し入れ自在にフラップに規制片を設けるので、梱包時にスリットに規制片を入れて折り曲げ係止片の先端両側が内側（スリット側）にたわむことを規制し、キャップ部材とベース部材の連結を確実にすることができる。
【００３５】
請求項４に記載の発明によれば、規制片につまみ部を設けるので、開梱時には、そのつまみ部を持ってスリットから規制片を容易に引き出し、折り曲げ係止片の先端両側が内側（スリット側）に逃げることを可能とし、開梱時の作業性を向上することができる。
【００３６】
請求項５に記載の発明によれば、キャップ部材に、内部に指を入れて、係止孔の孔縁に掛け止める折り曲げ係止片の先端に触れることができる開口を設けるので、開梱時は、開口を通して内部に指を入れて折り曲げ係止片の先端を押し、折り曲げ係止片の先端両側を内側（スリット側）に逃がすことを可能とし、作業性を向上することができる。
【００３７】
請求項６に記載の発明によれば、四角い箱形状とし、対向側面の複数対向個所でそれぞれベース部材の折り曲げ係止片をキャップ部材に掛け止めるので、キャップ部材とベース部材とをバランスを取って確実に連結して包装の信頼性を向上することができる。
【図面の簡単な説明】
【図１】この発明による梱包箱の外観斜視図である。
【図２】その梱包箱を構成するキャップ部材の１つの係止孔まわりを正面から見て示す拡大図である。
【図３】その梱包箱を構成するベース部材の１つの折り曲げ係止片まわりを正面から見て示す拡大図である。
【図４】キャップ部材に対する１つの折り曲げ係止片の掛け止めを説明する斜視図である。
【図５】図６のＭ−Ｍ線位置の矢示方向横断面図である。
【図６】図１のＮ−Ｎ線位置の矢示方向縦断面図である。
【図７】開梱時の手順を示す、１つの折り曲げ係止片まわりの横断面図である。
【符号の説明】
１０    キャップ部材（カバー部材）
１１Ａ  側面
１１Ｂ  側面
１２    係止孔
１３    開口
２０    ベース部材（カバー部材）
２１Ａ  フラップ
２１Ｂ  フラップ
２２Ａ  フラップ
２２Ｂ  フラップ
２３    折り曲げ係止片
２４    スリット
２５    規制片
２６    つまみ部
２７    切欠き
【図１】
2005001731.tif 000003
【図２】
2005001731.tif 000004
【図３】
2005001731.tif 000005
【図４】
2005001731.tif 000006
【図５】
2005001731.tif 000007
【図６】
2005001731.tif 000008
【図７】
2005001731.tif 000009